(57)【要約】【課題】自動車塗装面の貼付予定領域にほぼ正確に貼り付けることができ、熟練性を要さず、短時間で綺麗に貼り付けることができる自動車用保護フィルムを提供する。【解決手段】自動車の塗装面５１、５２ａを保護する透明フィルム１０と、透明フィルム１０の一方の表面に設けられ、透明フィルム１０を塗装面５１、５２ａに固定する粘着層と、を備え、粘着層と塗装面５１、５２ａとの間に施工液を介在させながら透明フィルム１０を移動させてその位置を決めることにより、透明フィルム１０を塗装面５１、５２ａの貼付予定領域に固定する自動車用保護フィルム１であって、透明フィルム１０が、周縁から面方向に凹んだ凹部３０ａ、３０ｂ、３０ｃ及び周縁から面方向に突出した凸部から選ばれる位置決め用目印を複数有することを特徴とする自動車用保護フィルム１。【選択図】図１
0003195376.tif 000002
【実用新案登録請求の範囲】
【請求項１】
自動車の塗装面を保護する透明フィルムと、前記透明フィルムの一方の表面に設けられ、該透明フィルムを前記塗装面に固定する粘着層と、を備え、前記粘着層と前記塗装面との間に施工液を介在させながら前記透明フィルムを移動させてその位置を決めることにより、前記透明フィルムを前記塗装面の貼付予定領域に固定する自動車用保護フィルムであって、
前記透明フィルムが、周縁から面方向に凹んだ凹部及び周縁から面方向に突出した凸部から選ばれる位置決め用目印を複数有することを特徴とする自動車用保護フィルム。
【請求項２】
前記自動車の塗装面が、フロントバンパー、フロントスポイラー、サイドスポイラー、リアスポイラー、フロントコーナー、ドアミラー、リアトランクガード、リアバンパー、リアバンパーステップ、リアコーナー、ドアノブの内側面、サイドモール及びサイドステップよりなる群から選ばれる少なくとも１種の領域の塗装面である請求項１に記載の自動車用保護フィルム。
【請求項３】
前記位置決め用目印の少なくとも１が前記凸部である請求項１又は２に記載の自動車用保護フィルム。
【請求項４】
前記透明フィルムが前記位置決め用目印を３以上有する請求項１〜３のいずれか１項に記載の自動車用保護フィルム。
【請求項５】
前記凹部及び前記凸部が、それぞれ、ほぼ半円状、ほぼ半楕円状及び四角形以上のほぼ多角形状よりなる群から選ばれる少なくとも１種の平面形状を有する請求項１〜４のいずれか１項に記載の自動車用保護フィルム。
【請求項６】
複数の縁辺で囲まれた形状を有し、前記複数の位置決め用目印が対向する２の縁辺及び／又は隣り合う２の縁辺に設けられる請求項１〜５のいずれかに記載の自動車用保護フィルム。
【考案の詳細な説明】
【技術分野】
【０００１】
本考案は、自動車の塗装面に貼り付けて該塗装面を保護する自動車用保護フィルムに関する。
【背景技術】
【０００２】
従来から、自動車の走行中に飛び石等により塗装面に傷が付いたり、泥はねや空中を飛翔する虫との衝突等により塗装面が汚れたりするのを防止するために、自動車の塗装面に自動車用保護フィルム（プロテクションフィルム。以下、単に「保護フィルム」と称すことがある。）を貼り付けることが行なわれている。
【０００３】
一般的な保護フィルムは、例えば、塗装面を保護する透明フィルムと、透明フィルムの一方の表面に設けられ、透明フィルムを塗装面に固定する粘着層と、を有している。市販の保護フィルムは、粘着層を有する透明フィルムと共に、粘着層に剥離可能に貼り付けられた剥離フィルムを含む形態である。また、自動車の塗装面に対応する平面形状を有する保護フィルムが、車種毎、パーツ毎に市販されている。
【０００４】
透明フィルムを塗装面に貼り付ける方法としては、例えば、塗装面を洗浄する工程と、塗装面にマスキングテープ等で目印する工程と、塗装面と透明フィルムとの間に施工液を介在させながら、目印を利用して透明フィルムの位置決めをする工程と、透明フィルムにスキージを押し当て、塗装面との間の気泡や施工液を押し出す工程と、を含む方法が挙げられる。施工液は、透明フィルムの塗装面での滑り性を高め、位置決めを容易するためにのものであり、塗装面や粘着層への影響等の観点から、中性洗剤、界面活性剤等を低濃度で含有する水性施工液が一般的である。
【０００５】
しかしながら、透明フィルムの自動車塗装面への貼付は、該塗装面が曲面を多用した複雑な形状であること、透明フィルムが比較的大きな寸法であること、透明フィルムが透明で視認性に乏しいこと等から、丁寧かつ慎重な作業が必要になる。このため、透明フィルムの塗装面への貼付作業が非常に煩雑になり、比較的高度な熟練性が要求され、作業終了までに長時間を要するといった問題が生じる。
【０００６】
このような問題に鑑み、例えば、アプリケーションフィルムと透明フィルムと離型紙とを順に積層し、離型紙の透明フィルムを被覆する領域におけるボディラインに対応する位置にスリットが形成され、アプリケーションフィルム及び離型紙の少なくとも一方が透明フィルムよりも大きくかつ透明フィルムを被覆しない領域に切欠、孔又は凹みである位置決め用目印が形成された車体防護用フィルムが提案されている（特許文献１、請求項１及び請求項５）。特許文献１は、離型紙のスリットと、位置決め用目印と、を設けることにより、塗装面における透明フィルムの位置決めを正確に実施できると記載している。
【０００７】
しかしながら、上記車体防護用フィルムでは、離型紙に形成されるスリットをボディラインに沿わせる必要があるので、透明フィルムの貼付位置は、塗装面のボディラインが存在する箇所のみに限定される。また、上記位置決め用目印は、アプリケーションフィルム又は離型紙の透明フィルムとは重ならない領域に形成され、該目印と透明フィルムの周縁とが離れていることから、該目印を利用して位置決めを行なっても、透明フィルムの貼付位置が不正確になる場合がある。
【先行技術文献】
【特許文献】
【０００８】
【特許文献１】特開２０１２−２３３１４２号公報
【考案の概要】
【考案が解決しようとする課題】
【０００９】
本考案の目的は、熟練性を要することなく、貼付予定領域の塗装面にほぼ正確にかつ短時間で綺麗に貼り付け得る自動車用保護フィルムを提供することである。
【課題を解決するための手段】
【００１０】
本考案者らは、塗装面に貼り付ける透明フィルム自体の周縁に、該フィルムの面方向に凹む又は窪む凹部及び面方向に突出する凸部を設けることにより、位置決めをほぼ正確にかつ容易に実施できる所望の自動車用保護フィルムが得られることを見出し、本考案を完成するに至った。
【００１１】
すなわち本考案は、下記（１）〜（６）の自動車用保護フィルムを提供する。
【００１２】
（１）自動車の塗装面を保護する透明フィルムと、透明フィルムの一方の表面に設けられ、該透明フィルムを塗装面に固定する粘着層と、を備え、粘着層と塗装面との間に施工液を介在させながら透明フィルムを移動させてその位置を決めることにより、透明フィルムを塗装面の貼付予定領域に固定する自動車用保護フィルムであって、透明フィルムが、その周縁から面方向に凹んだ凹部（以下、単に「凹部」とすることがある。）及び周縁から面方向に突出した凸部（以下、単に「凸部」とすることがある。）から選ばれる位置決め用目印を複数有することを特徴とする自動車用保護フィルム。
【００１３】
上記（１）の自動車用保護フィルムによれば、自動車の塗装面を保護する透明フィルム自体に凹部及び凸部から選ばれる位置決め用目印を複数設けることにより、透明フィルムを貼付予定領域の塗装面にほぼ正確にかつ容易に貼り付けることができる。
【００１４】
より具体的には、凹部は、例えば、塗装面のボディラインやトランク開口部のフック等の各部パーツと位置を合わせることが容易である。また、凸部は、透明フィルムと貼付予定領域の周囲との距離感を視認し易くするので、透明フィルムの不要な領域までへの貼付を容易に防止できる。従って、本考案の保護フィルムを用いれば、透明フィルムの貼付予定領域の塗装面への貼付を、ほぼ正確に、かつ、熟練性を要さず、容易に短時間で実施でき、透明フィルムの貼付作業の効率が顕著に向上する。
【００１５】
（２）自動車の塗装面が、フロントバンパー、フロントスポイラー、サイドスポイラー、リアスポイラー、フロントコーナー、ドアミラー、リアトランクガード、リアバンパー、リアバンパーステップ、リアコーナー、ドアノブの内側面、サイドモール及びサイドステップよりなる群から選ばれる少なくとも１種の領域の塗装面である上記（１）の自動車用保護フィルム。
【００１６】
本考案の自動車用保護フィルムによれば、透明フィルム自体に凹部及び凸部から選ばれる位置決め用目印を複数設けることにより、透明フィルムと貼付予定領域の実装面及びその周囲との位置関係を視認し易いので、屈んだ姿勢での作業で貼付ミスをし易い車体下部の塗装面にも、貼付ミスなく、透明フィルムを貼り付け得る。また、本考案の自動車用保護フィルムの貼付は塗装面全域に実施できるが、上記した塗装面への貼付により、塗装面の傷付きや汚れの防止効果が大きい。
【００１７】
（３）位置決め用目印の少なくとも１が凸部である上記（１）又は（２）の自動車用保護フィルム。
【００１８】
上記（３）の自動車用保護フィルムによれば、透明フィルムが位置決め用目印として凸部を少なくとも１個有することにより、凸部により貼付予定領域の周囲に対する位置合わせをした後、全体的な位置決めを実施できるので、位置決めに要する時間を短縮し、貼付ミスを一層少なくすることができる。特に、透明フィルムを貼付予定領域に対応する形状とした場合には、位置決め及び貼付に要する時間をより一層短縮し、貼付作業の効率を顕著に高めることができる。
【００１９】
（４）透明フィルムが位置決め用目印を３以上有する上記（１）〜（３）のいずれかの自動車用保護フィルム。
上記（４）の自動車用保護フィルムによれば、凹部及び凸部から選ばれる位置決め用目印を３個以上有することにより、位置決め精度をより一層向上させることができる。
【００２０】
（５）凹部及び凸部が、それぞれ、ほぼ半円状、ほぼ半楕円状及び四角形以上のほぼ多角形状よりなる群から選ばれる少なくとも１種の平面形状を有する上記（１）〜（４）のいずれかの自動車用保護フィルム。
上記（５）の自動車用保護フィルムによれば、上記した種々の平面形状を有する凹部及び凸部が、本考案の効果を得る上で有用である。
【００２１】
（６）複数の縁辺で囲まれた形状を有し、複数の位置決め用目印が対向する２の縁辺及び／又は隣り合う２の縁辺に設けられる上記（１）〜（５）のいずれかの自動車用保護フィルム。
上記（６）の自動車用保護フィルムによれば、該保護フィルムの自動車塗装面での位置決め精度を極めて顕著に向上させることができる。
【考案の効果】
【００２２】
本考案の自動車用保護フィルムは、貼付予定領域の塗装面にほぼ正確に、かつ、熟練性を要さず、短時間で容易に綺麗に貼り付けることができる
【図面の簡単な説明】
【００２３】
【図１】第１実施形態である自動車用保護フィルムの構成及び該フィルムに含まれる透明フィルムの自動車塗装面への貼付方法を説明する模式図である。
【図２】図１に示す自動車用保護フィルムを自動車塗装面に貼り付けた状態を示す模式図である。
【図３】第２実施形態である自動車用保護フィルムの構成及び該フィルムに含まれる透明フィルムを自動車塗装面に貼り付けた状態を示す模式図である。
【図４】第３実施形態である自動車用保護フィルムの構成及び該フィルムに含まれる透明フィルムを自動車塗装面に貼り付けた状態を示す模式図である。
【図５】第４実施形態である自動車用保護フィルムの構成を示す模式図である。
【図６】第５実施形態である自動車用保護フィルムの構成を示す模式図である。
【図７】第６実施形態である自動車用保護フィルムの構成を示す模式図である。
【図８】本考案の別形態の透明フィルムを自動車塗装面に貼り付けた状態を示す模式図である。
【考案を実施するための形態】
【００２４】
以下、図面を参照しながら本考案の各実施形態について詳しく説明する。本明細書では、図１〜図８における紙面上下方向を上下方向と称し、該上下方向に垂直な方向を幅方向と称す。
【００２５】
図１において、（ａ）は本考案の第１実施形態である自動車用保護フィルム（以下、単に「保護フィルム」と称すことがある。）１の構成を模式的に示す平面図、（ｂ）は保護フィルム１に含まれる透明フィルム１０の自動車塗装面への貼付方法を説明する模式図である。図２は、透明フィルム１０を自動車塗装面に貼り付けた状態を示す模式図である。なお、図１（ｂ）はトランクリッド（不図示）を開放した状態、図２はトランクリッド５０を閉じた状態である。
【００２６】
保護フィルム１は、トランクルームへの荷物の出し入れ等による損傷や虫との衝突等による汚れから塗装面を保護する。保護フィルム１の貼付予定領域は、リアトランクガード５１の下端部近傍からリアバンパー５２のステップ面５２ａまでの塗装面に設定される。
【００２７】
保護フィルム１は、貼付予定領域に対応する平面形状（以下、特に断らない限り単に「形状」と称す。）、より具体的には、上下方向に対向する２つの縁辺１ａ、１ｂ（台形の下底及び上底に相当）がほぼ平行に、緩やかな曲率で下方向に湾曲した大略逆台形状の形状を有し、塗装面を保護する透明フィルム１０と、透明フィルム１０の一方の表面に設けられ、透明フィルム１０を塗装面に固定する粘着層（不図示）と、透明フィルム１０の粘着層を設けた表面に剥離可能に貼り付けられる剥離フィルム（不図示）と、を備える。透明フィルム１０及び剥離フィルムは同じ形状である。この形状は、車種や貼付予定領域の位置等に応じて適宜変更できる。
【００２８】
透明フィルム１０は、位置決め用目印として、縁辺２０ａ（１ａ）、２０ｂ、２０ｃから面方向に凹む３個のＵ字状凹部３０ａ、３０ｂ、３０ｃを有する。凹部３０ａは上側の縁辺２０ａの幅方向ほぼ中央に設けられ、凹部３０ｂ、３０ｃは幅方向に対向する縁辺２０ｂ、２０ｃのほぼ同じ高さ位置に設けられる。本実施形態では、隣り合う縁辺２０ａ、２０ｂ及び縁辺２０ａ、２０ｃ並びに対向する縁辺２０ｂ、２０ｃに凹部３０ａ、３０ｂ、３０ｃを設け、これらを車の目印にし易いパーツや貼付予定領域の塗装面のボディラインに合わせることにより、透明フィルム１０の貼付予定領域の実装面への貼付をほぼ正確かつ容易に実施できる。また、透明フィルム１０の各角部を曲率な小さな緩やかな曲線とすることにより、透明フィルム１０を塗装面から剥がれ難くする。
【００２９】
透明フィルム１０は透明であれば有色でもよいが、透明フィルム１０を貼り付けた塗装面とそれ以外の塗装面との間に色の差が生じるのを避けるために、無色透明であることが好ましい。
【００３０】
透明フィルム１０を構成する材料としては、透明でありかつ自動車塗装面を保護できる機械強度を有するものであれば特に限定されないが、フィルム（又はシート）化が容易である点や、塗装面の形状に適合可能な柔軟性等の観点から、透明樹脂材料を好ましく使用できる。透明樹脂材料としては特に限定されず、例えば、塩化ビニル系樹脂、ウレタン樹脂、（メタ）アクリル系樹脂、ポリプロピレン系樹脂、ポリエチレン系樹脂、ポリエチレンテレフタレート樹脂等が挙げられる。透明フィルム１０には、その透明性を損なわない範囲で、衝撃吸収性等の他の特性を持たせてよい。また、透明フィルム１０は、粘着層が設けられるのとは反対側の表面に、透明フィルム１０を保護する１又は２以上の透明樹脂層を更に設けた積層体としても良い。該透明樹脂層を構成する透明樹脂としては特に限定されないが、例えば、ポリエステルアクリレート系樹脂、エポキシアクリレート系樹脂、ウレタンアクリレート系樹脂、ポリオールアクリレート系樹脂等のアクリレート系樹脂を好ましく使用できる。
【００３１】
透明フィルム１０の一方の表面には、粘着剤を主成分とする粘着層（不図示）が設けられる。粘着剤としては、透明であり、透明フィルム１０を塗装面に固定し得る粘着力を有し、後述する施工液と接触しても粘着力が低下し難くかつ塗装面に悪影響を及ぼさないものであれば特に限定されないが、例えば、アクリル系樹脂粘着剤、スチレン系樹脂粘着剤、オレフィン系樹脂粘着剤、塩化ビニル系樹脂粘着剤、ウレタン系樹脂粘着剤、ポリエステル系樹脂粘着剤、ポリアミド系樹脂粘着剤、シリコーン系樹脂粘着剤等の樹脂粘着剤、アクリルエラストマー系粘着剤、スチレンエラストマー系粘着剤、オレフィンエラストマー系粘着剤、塩化ビニルエラストマー系粘着剤、ウレタンエラストマー系粘着剤、ポリエステルエラストマー系粘着剤、ポリアミドエラストマー系粘着剤、シリコーンエラストマー系粘着剤等のエラストマー粘着剤等を好ましく使用できる。
【００３２】
本考案では、塗装面に対して強い粘着力を有しながら、大きな力を掛けなくても容易に剥離できる粘着剤をも使用でき、該粘着剤としては変性シリコーン樹脂系粘着剤、アクリルエラストマー系粘着剤等が挙げられる。剥離する際には、例えば、ドライヤー等で加熱して剥離を促進しても良い。
【００３３】
透明フィルム１０の粘着層が設けられた表面に剥離可能に貼り付けられる剥離フィルムとしては、例えば、薄葉紙、普通紙、強化紙、樹脂含浸紙、樹脂コート紙等の紙類、ポリエチレンテレフタレート、グリコール変性ポリエチレンテレフタレート、ポリ塩化ビニル、ポリエチレン、アクリロニトリルブタジエンスチレン、ポリプロピレン等の樹脂からなる樹脂フィルム又はシート、これらの複合シート等を使用できる。
【００３４】
なお、本考案では、保護フィルム１として、ルミクール、リンテック、ソーラーガード、シルフィード、ニュープロテクション（いずれも商品名）等の市販の保護フィルムを、貼付予定領域に対応する形状に裁断し、凹部及び凸部から選ばれる位置決め用目印を複数設けたものも使用できる。
【００３５】
以下に、図１（ｂ）を参照しつつ、保護フィルム１に含まれる透明フィルム１０の貼付予定領域への貼付方法の一例を示す。該方法は、洗浄工程と、位置決め工程と、仕上げ工程と、乾燥工程と、を含む。
【００３６】
洗浄工程では、貼付予定領域の塗装面及びその周囲を各種洗剤等により洗浄し、必要に応じて脱脂を行なう。洗剤としては、市販の自動車用洗剤を特に限定なく使用できる。
【００３７】
位置決め工程では、保護フィルム１から剥離フィルムを剥がし、透明フィルム１０の粘着層が設けられた表面（以下、「粘着層側面」と称す。）及び洗浄された貼付予定領域に施工液を塗布した後、粘着層側面と貼付予定領域とを合せ、透明フィルム１０が貼付予定領域及びその周辺を前後左右に移動可能な状態とする。位置決めは、まず、透明フィルム１０の中央部の凹部３０ａを、車のフック５３に合わせ、次に、透明フィルム１０の幅方向両端の凹部３０ｂ、３０ｃをリアトランクガード５１とステップ面５２ａとの境界のボディラインに合わせることにより実施される。こうして３点を合せることにより、左右、上下の位置が必然的に決まり、ほぼ正確な位置決めを容易に実施できる。
【００３８】
仕上げ工程では、貼付予定領域に貼り付けた透明フィルム１０の位置を保持しながら、透明フィルム１０の表面をスキージ等のヘラで擦り、透明フィルム１０と塗装面との間に噛み込まれた空気の気泡や余分な施工液を押し出す。乾燥工程では、透明フィルム１０を塗装面に貼り付けた状態で所定時間放置し、残りの施工液を乾燥させ、透明フィルム１０を粘着層により塗装面に固定する。こうして、図２に示すように、透明フィルム１０が貼付予定領域に塗装面にほぼ正確にかつ容易に貼り付けられる。
【００３９】
本実施形態では、透明フィルム１０をリアトランクガード５１の下端部近傍からリアバンパー５２のステップ面５２ａに及ぶ貼付予定領域に貼り付けたが、これに限定されず、ステップ面５２ａのみに貼付予定領域を設け、幅方向長さをステップ面５２ａの幅方向長さに対応させた透明フィルム１０を貼り付けても良い。この場合、上記と同様にして透明フィルム１０の中央部の凹部３０ａを車のフック５３に合わせた後、透明フィルム１０の幅方向両端の凹部３０ｂ、３０ｃをそれぞれステップ面５２ａ両端部のボディラインに合わせることによって、透明フィルム１０を貼付予定領域にほぼ正確にかつ容易に貼り付けることができる。
【００４０】
位置決め工程で用いられる施工液としては、粘着層や塗装面に悪影響を及ぼさないものであれば特に限定されないが、例えば、中性洗剤や界面活性剤を低濃度で含有する水系施工液を好ましく使用できる。界面活性剤としては、例えば、直鎖アルキルベンゼンスルホン酸、アルキル硝酸エステル塩、アルキルエーテル硫酸エステル塩等の陰イオン系界面活性剤、アルキルトリメチルアンモニウム塩、アルキルジメチルベンジルアンモニウム塩、Ｎ−メチルビスヒドロキエチルアミン脂肪酸エステル・塩酸塩等の陽イオン系界面活性剤、アルキルアミノ脂肪酸塩、アルキルベタイン、アルキルアミンオキシド等の両性界面活性剤、ソルビタン脂肪酸エステル、ポリオキシエチレン脂肪酸エステル、ポリオキシエチレンアルキルエーテル、アルキルグリコシド等の非イオン系界面活性剤等が挙げられる。また、市販の施工液を用いてもよく、例えば、フィルムオン、貼り込み名人、リアルパーフェクト（いずれも商品名）等が挙げられる。
【００４１】
図３において、（ａ）は本考案の第２実施形態である保護フィルム２の構成を模式的に示す平面図、（ｂ）は保護フィルム２に含まれる透明フィルム１１を自動車塗装面に貼り付けた状態を示す模式図である。
【００４２】
保護フィルム２は、空中を飛翔する虫との衝突等による汚れ、飛び石等による損傷等から塗装面を保護する。保護フィルム２の貼付予定領域はフロントバンパー５４の前面の塗装面、より具体的には、フロントバンパー５４の前面において、上下方向はほぼ全面に、かつ幅方向はナンバープレート５５との境界付近からフロントコーナー５６との境界付近まで延びる塗装面である。但し、牽引フック用螺子穴収納部（不図示）の蓋５７から幅方向にフロントコーナー５６との境界付近までは貼付除外領域である。
【００４３】
保護フィルム２及びそれに含まれる透明フィルム１１は、貼付除外領域に対応する部分が切り欠かれた大略長方形状である。透明フィルム１１は、より具体的には、上下方向に延びる縁辺２１ａ、２１ｃ及び幅方向に延びる縁辺２１ｂ、２１ｄである４つの縁辺により囲まれた形状である。縁辺２１ａはナンバープレート５５との境界に沿い、縁辺２１ｂは縁辺２１ａの上端からラジエーターグリル５８との境界に沿い、縁辺２１ｄは縁辺２１ａの下端からバンパーグリル５９との境界に沿って延び、かつ蓋５７との境界に沿って折れ曲がり、縁辺２１ｃは凹んだ曲線になり、縁辺２１ｂ、２１ｄのフロントコーナー５６側端部を繋ぐ。
【００４４】
そして、縁辺２１ａのほぼ中央及び縁辺２１ｄのバンパーグリル５９との境界に沿う部分のほぼ中央に、位置決め用目印として、透明フィルム１１の面方向に突出する凸部３１ｘ、３１ｙを設ける。凸部３１ｘ、３１ｙを隣り合う２つの縁辺２１ａ、２１ｄに設けることにより、透明フィルム１１の位置決め精度が顕著に向上する。
【００４５】
透明フィルム１１の位置決めは、凸部３１ｘ、３１ｙを利用して実施できる。例えば、縁辺２１ａの凸部３１ｘ先端がナンバープレート５５との境界に位置するように調整し、更に縁辺２１ｄの凸部３１ｙ先端がバンパーグリル５９との境界に位置するように調整することにより、透明フィルム１１の上下方向及び幅方向の位置が必然的に決まるので、ほぼ正確な位置決めを容易に実施でき、透明フィルム１１の貼付予定領域からのズレを防止できる。凸部３１ｘ、３１ｙを利用すれば、例えば、目視で対象物との距離感を容易に測ることができるので、透明フィルム１１のズレを防止できる。凸部３１ｘ、３１ｙはボディラインへの位置合わせにも有効であるが、貼付予定領域の塗装面にボディラインがない場合に特に有効である。
【００４６】
図４において、（ａ）は本考案の第３実施形態である保護フィルム３の構成を模式的に示す平面図、（ｂ）は保護フィルム３に含まれる透明フィルム１２を塗装面に貼り付けた状態を示す模式図である。保護フィルム３は、例えば、擦り傷や飛び石等による損傷、虫との衝突等による汚れ等から塗装面を保護する。保護フィルム３の貼付予定領域はフロントフェンダー６０のタイヤハウス６１に沿う塗装面である。
【００４７】
保護フィルム３及び透明フィルム１２は同一形状である。透明フィルム１２は、縁辺２２ａ、２２ｂ、２２ｃ、２２ｄ、２２ｅで囲まれ、一の縁辺とそれに隣接する他の縁辺との交点（一の縁辺と他の縁辺とで構成される角部の頂点）を結んだ形状が大略五角形状である。縁辺２２ｂは、透明フィルム１２を塗装面に貼り付けた時に、タイヤハウス６１の縁に沿って湾曲して延びるように設けてある。縁辺２２ｄは、その両端の２つの曲線部がそれぞれ上方斜め方向及び下方斜め方向に延び、これらを繋げる直線部が底辺になり、全体として凹部を構成するように設けてある。それ以外の縁辺２２ａ、２２ｃ、２２ｅは曲率が非常に緩やかな曲線として設けてある。なお、縁辺２２ａ、２２ｃ、２２ｅの少なくとも１つは貼付予定領域の形状に合わせて直線状に設けても良い。縁辺２２ａの縁辺２２ｂとの近傍領域には、タイヤハウス６１の縁に沿って周方向に延びるボディライン６２ａと対応するように、位置決め用目印として凹部３２ａを設ける。また、縁辺２２ｃ、２２ｄの連結部の先端には、フォグランプの下方において幅方向に延びるボディライン６２ｂと対応するように、位置決め用目印として凹部３２ｃを設ける。
【００４８】
透明フィルム１２の貼付予定領域への貼付は、透明フィルム１２の粘着層側面と貼付予定領域及びその周辺の塗装面とを、施工液を介在させながら合わせ、透明フィルム１２を移動させて凹部３２ａとボディライン６２ａとを合せ、かつ、凹部３２ｃとボディライン６２ｂとを合せることにより、ほぼ正確にかつ容易に実施できる。このように、異なる方向に延びるボディラインを複数有する塗装面に透明フィルムを貼り付ける場合には、本実施形態のように、異なる方向に延びる複数の縁辺に複数の凹部を設けることが有効である。
【００４９】
図５、図６及び図７は、それぞれ、本考案の第４、第５、第６実施形態である保護フィルム４、５、６の構成を模式的に示す。
【００５０】
図５に示す保護フィルム４は、主に擦り傷や飛び石による塗装面の損傷、虫等との衝突による塗装面の汚れ等を防止するために、フロントコーナー等の、凹部とボディラインとの位置合わせだけでは正確な位置決めがしにくい塗装面に好適に用いられる。保護フィルム４及びそれに含まれる透明フィルム１３は同一形状である。透明フィルム１３は、縁辺２３ａ、２３ｂ、２３ｃ、２３ｄ、２３ｅで囲まれた五角形状であり、位置決め用目印として、縁辺２３ａに凸部３３ｘを有し、縁辺２３ｅを介して縁辺２３ａに隣り合う縁辺２３ｄに凹部３３ａを有する。このように、凸部３３ｘ及び凹部３３ａが異なる方向を向くように設けることにより、凹部とボディラインだけでは位置決めし難い塗装面でも、ほぼ正確かつ容易な位置決めを実施できる。
【００５１】
図６に示す保護フィルム５は、主に虫等との衝突による塗装面の汚れ、飛び石による塗装面の損傷等を防止するために、小型車のフロントバンパーからフロントコーナーを経由してフロントフェンダー近傍に至る貼付予定領域の実装面に好適に用いられる。保護フィルム５に含まれる透明フィルム１４は、４つの縁辺２４ａ、２４ｂ、２４ｃ、２４ｄで囲まれた大略四角形状である。縁辺２４ａはナンバープレートとの境界に沿って上方向に延びる。上下に対向する２つの縁辺２４ｂ、２４ｄは極めて緩やかにＳ字状に湾曲し、互いにほぼ平行に延びる。縁辺２４ｂは、透明フィルム１４を小型車の貼付予定領域に貼り付けた場合に、バンパーグリルとの境界さらにはフロントコーナーに形成されたボディラインに沿って延びる。縁辺２４ｃは、全体が縁辺２４ａの方向に凹む。
【００５２】
透明フィルム１４は、位置決め用目印として、縁辺２４ａの下端付近に設けられる１つの凸部３４ｘと、縁辺２４ａに隣り合う縁辺２４ｂに間隔を空けて設けられる２つの凸部３４ｙ、３４ｚと、を有する。凸部３４ｙ、３４ｚは、縁辺２４ｄの曲線部分ではなく、直線部分に設けられるので、位置合わせがし易い。
【００５３】
透明フィルム１４の位置決めに際しては、凸部３４ｘをナンバープレートとの距離を測るために用い、凸部３４ｙをバンパーグリルとの距離を測るために用い、凸部３４ｚをフロントコーナーのボディラインとの距離を測るために用いる。例えば、凸部３４ｘによりナンバープレートとの境界に至るように位置合わせし、更に凸部３４ｙ、３４ｚによりバンパーグリル及び上ボディラインとの境界に至るように位置合わせすることにより、透明フィルム１４の貼付をほぼ正確にかつ容易に実施できる。
【００５４】
このように、１つの縁辺に凸部を形成すると共に、該縁辺に隣り合いかつ該縁辺よりも長い縁辺に複数の凸部を形成することにより、比較的寸法の大きい透明フィルムの貼付予定領域への貼付をほぼ正確にかつ容易に実施できる。
【００５５】
図７に示す保護フィルム６は、主に虫等との衝突による塗装面の汚れ、飛び石による塗装面の損傷等を防止するために、小型車のフロントフェンダー等の複数のボディラインを有する塗装面等に好適に用いられる。保護フィルム６に含まれる透明フィルム１５は、５つの縁辺２５ａ、２５ｂ、２５ｃ、２５ｄ、２５ｅで囲まれた大略五角形状であり、縁辺２５ａ以外の縁辺２５ｂ、２５ｃ、２５ｄ、２５ｅは、位置決め用目印として、透明フィルム１５の面方向に凹む凹部３５ｂ、３５ｃ、３５ｄ、３５ｅを有する。また、縁辺２５ａは、タイヤハウスの縁に沿うように湾曲する。凹部３５ｂ、３５ｅはタイヤハウスの縁に沿って周方向に延びるボディライン６３に対応する。凹部３５ｃ、３５ｄは、貼付予定領域の塗装面にあるもう一つのボディライン６４に対応する。
【００５６】
透明フィルム１４の位置決めに際しては、透明フィルム１５の粘着層側面と貼付予定領域の塗装面との間に施工液を介在させながら、これらを合わせ、凹部３５ｂ、３５ｅとボディライン６３とを合わせ、かつ、凹部３５ｃ、３５ｄとボディライン６４とを合わせることにより、透明フィルム１５の貼付をほぼ正確にかつ容易に実施できる。自動車の塗装面には本実施形態のように異なる方向に延びる複数のボディラインが形成されている場合が多々あるので、それぞれのボディラインに対応する複数の凹部を設けることにより、透明フィルムの正確かつ容易な貼付を実現できる。
【００５７】
図８は、本考案の別形態の保護フィルムに含まれる透明フィルム１６をドアミラー６５の上下方向ほぼ中央の塗装面に貼り付けた状態を示す模式図である。ドアミラー６５の上下方向中間よりもやや下方に形成されるボディライン６６に対応するように、ボディライン６６に対向する縁辺に凸部３６ｘを設け、該縁辺に繋がりドアミラー６５の幅方向外側端部に対向する縁辺に凸部３６ｙを設けることにより、透明フィルム１６をボディライン６６及びドアミラー６５の幅方向外側端部に対して容易に位置決めできるので、透明フィルム１６のドアミラー６５の塗装面へのほぼ正確かつ容易な貼付を実施できる。
【００５８】
保護フィルム２〜６に含まれる透明フィルム１１〜１６、粘着層及び剥離フィルムの材質は、保護フィルム１に含まれる透明フィルム１０、粘着層及び剥離フィルムとそれぞれ同じである。
【００５９】
本明細書に示す各実施形態の保護フィルムは、いずれも、貼付予定領域の塗装面に対応する形状を有するものであるが、これに限定されず、少なくとも１つの縁辺に凹部及び凸部から選ばれる位置決め用目印を複数有するものであれば、その平面形状及び縦横の寸法は特に限定されない。例えば、長方形や正方形の形状を有する保護フィルムにおいて、凹部及び凸部から選ばれる少なくとも１種の位置決め用目印を、対向する縁辺及び／又は隣り合う縁辺に複数設けた保護フィルムを用い、透明フィルムを貼付予定領域の実装面に貼り付けた後、貼付予定領域の形状に対応するように透明フィルムを裁断しても良い。
【００６０】
また、保護フィルムが位置決め用目印として凸部を有する場合、剥離フィルムの該凸部に対応する領域がそれ以外の領域に対して取り外し可能になるように設けてもよい。このように構成すれば、凸部を用いて貼付予定領域の塗装面を超えないように位置合わせした後、凸部に対応する領域のみの剥離フィルムを剥がし、凸部のみを一旦塗装面から余り動かないように仮止めすることにより、大きなズレを抑制し、位置決めを一層容易に実施できる。
【符号の説明】
【００６１】
１、２、３、４、５、６  保護フィルム
１ａ、２０ａ、２０ｂ、２１ａ、２１ｂ、２１ｃ、２１ｄ、２２ａ、２２ｂ、２３ａ、２３ｄ、２３ｅ、２４ａ、２４ｂ、２４ｃ、２４ｄ、２５ａ、２５ｂ  縁辺
１０  透明フィルム
３０ａ、３０ｂ、３２ａ、３３ａ、３５ｂ、３５ｃ、３６ａ  凹部
３１ｘ、３１ｙ、３３ｘ、３４ｘ、３４ｙ、３４ｚ  凸部
５０  トランクリッド
５１  リアトランクガード
５２  リアバンパー
５２ａ  ステップ面
５３  フック
５４  フロントバンパー
５５  ナンバープレート
５６  フロントコーナー
５７  蓋
５８  ラジエーターグリル
５９  バンパーグリル
６０  フロントフェンダー
６１  タイヤハウス
６２、６３、６４、６６  ボディライン
６５  ドアミラー
【図１】
0003195376.tif 000003
【図２】
0003195376.tif 000004
【図３】
0003195376.tif 000005
【図４】
0003195376.tif 000006
【図５】
0003195376.tif 000007
【図６】
0003195376.tif 000008
【図７】
0003195376.tif 000009
【図８】
0003195376.tif 000010